(57)【要約】      （修正有） 【課題】鼠が室等の壁面に沿って走るとき、確実に鼠が台紙の粘着剤を踏むようにして鼠を捕獲することが出来、二つ乃至それ以上の台紙でも連接して広い粘着面も形成可能な鼠類捕獲具を提供する。【解決手段】一枚の板紙から中央の折目線2cを介して左右に一対の矩形パネル２，２を該パネルの三方の外側縁にそれぞれ小巾折返し片2b,2b,2dをパネル内面に折返すごとくして形成した台紙1に、台紙1の外面より台紙1の少なくとも一辺の外側縁に平行に前記小巾折返し片の巾ｄで一対の矩形パネル2、2及びその両側の小巾折返し片を通して切込線３を刻設し、パネル内面に粘着剤Ａを塗布すると共に粘着防止片４を設けて矩形パネルを折返し携行可能にする一方、使用時には展開した台紙１の前記切込線３外側の小巾折り返し片とパネルとの重畳部分を台紙１より切離して壁面に当接できるようにする。  【選択図】図1  
0003109285.tif 000002
【実用新案登録請求の範囲】
【請求項１】
一枚の板紙より形成され、中央の折目線2Cを介して左右に前記折目線に隣接して一対の矩形パネル２,２を一体に連接するとともに各矩形パネル２の三方の外側縁にそれぞれ折目線を介して小巾折返し片2b,2b,2dをパネル内面に折返すごとく形成してなる台紙１に、台紙1の外面より台紙１の少なくとも一辺の外側縁に平行に前記小巾折返し片の巾ｄで一対の矩形パネル２,２及びその両側の小巾折返し片を通して切込線３を刻設し、且つ前記矩形パネル２，２内面に粘着剤Ａを塗布するとともに矩形パネル内面中央付近にパネル折畳み時のパネル粘着を防止するための粘着防止片４を設けて各矩形パネル２,２を折返し携行可能にする一方、使用時には台紙１を展開するとともに、前記切込線３の外側の小巾折返し片とパネルとの重畳部分を台紙１より切離し可能にしたことを特徴とする鼠類捕獲具。
【請求項２】
切込線３は、台紙１の外側面に、相互間隔をおいた複数個の微小長さの連結部分31を介してそれぞれ相互に隣接するごとく複数個連設したことを特徴とする請求項１記載の鼠類捕獲具。
【考案の詳細な説明】
【技術分野】
【０００１】
本考案は、台紙に塗布した粘着剤により、室等を走行する鼠を捕獲する型式の鼠類捕獲具に関し、より詳しくは、鼠の壁面に沿って走る習性を利用して捕獲効率を向上せしめた鼠類捕獲具に関するものである。
【背景技術】
【０００２】
従来、一般住宅、工場、倉庫等で鼠を捕獲するために、図５に示すように、一枚の板紙より形成され、中央の折目線2c’を介して左右に前記折目線に隣接して一対の矩形パネル2’,2’を一体に連設するとともに各矩形パネル2’の三方の外側縁にそれぞれ折り目線を介して小巾折返し片2b’,2b’,2d’をパネル内面に折返すように形成された内面（折返し片と段差を有する内面）に強力な粘着剤Ａ’を塗布し、矩形パネルを展開状態で鼠の通路等に設置して走る鼠を粘着せしめて捕獲する二つ折り形式の台紙1’を用いた鼠類捕獲具が例えば小動物捕獲装置等で知られている。
【特許文献１】特開平9-275879号公報（図4）
【考案の開示】
【考案が解決しようとする課題】
【０００３】
従来の二つ折型式の台紙を用いた鼠捕獲具は、之を展開して住宅や倉庫等の室の壁隅などに設置して、壁面に沿って走る習性のある鼠を捕獲する場合、図6に示すように壁Ｗの壁面に、展開した台紙1’の二つのパネル2’，２’間に狭巾パネル5’を有する長辺を当接せしめて使用するが、鼠が、壁Ｗの壁面に、矢印Ｒに沿って走行する場合、往々、パネル2’,2’側縁の折返し片2b’,2b’等の粘着剤の塗布されていない部分を踏んで通過することが発生し、走行する鼠を捕獲することが出来ないという問題があった。
【０００４】
さらに、二つ乃至それ以上の捕獲具を展開連接して広い粘着面として使用したい場合、粘着面が連続せず台紙間に鼠の通路が、例えば、展開した二つの台紙1’,1’を連接した図7に示すように台紙側部の連接する折返し片2b’,2b’間に矢印Ｒ方向に鼠の通路が形成されて広い粘着面として使用できない場合があった。
【０００５】
本考案は、このような事情に鑑みてなされたものであって、鼠が室等の壁Ｗの壁面に沿って走るとき、確実に鼠が台紙の粘着剤を踏むようにして、鼠を捕獲することの出来る二つ折り型式の鼠捕獲具を提供することを目的とし、さらに、二つ乃至それ以上の台紙を隣接せしめて拡大した粘着面を形成することの出来る捕獲具を提供することを他の目的とする。
【課題を解決するための手段】
【０００６】
上記目的を達成するために、本考案の鼠類捕獲具は、一枚の板紙より形成され、中央の折目線2cを介して左右に前記折目線に隣接して一対の矩形パネル2、2を一体に連設するとともに各矩形パネル2の三方の外側縁にそれぞれ折目線を介して小巾折返し片2b,2b、2ｄをパネル内面に折返すごとく形成された台紙1に、台紙1の外面より台紙1の少なくとも一辺の外側縁に平行に前記小巾折返し片の巾ｄで一対の矩形パネル2、2及びその両側の小巾折返し片を通して切込線3を刻設し、且つ前記矩形パネル２、２内面に粘着剤Aを塗布するとともに矩形パネル内面中央付近にパネル折畳み時のパネル粘着を防止するための粘着防止片４を設けて各矩形パネル２，2を折返し携行出来るようにする一方、使用時に台紙1を展開するとともに、前記切込線3の外側の小巾折返し片とパネルとの重畳部分を台紙1より切離しできるようにしたことを特徴とするものである。
【０００７】
このようにすると台紙1を室の壁面に当接させて使用するとき、容易に、前記重畳部分を台紙1より切離して、切離し線の部分を壁面に当てがって、壁面に沿って走る鼠の捕獲効率を良くすることができる(図３参照)。なお、前記切込線3は展開したパネルの一辺のみでなく、他の片にも同様に切込線3を設けて、多数板の台紙１を連接使用することも出来る。
【０００８】
切込線3は、台紙1の外側面に、相互間隔をおいた複数個の微小長さの連結部分31を介してそれぞれ相互に隣接するごとく複数個連設するのが効果的である（図2参照）。すなわち、ミシン目等の他の切込線も考えられるが、このようにすると重畳部分の切離しが容易で、外観的にも優れている。
【考案の効果】
【０００９】
請求項1記載の本考案の鼠類捕獲具によれば、捕獲具を使用しないときは折畳んで容易に携行することが出来、捕獲具を使用するときは、台紙を展開してパネルの側部の切込線3外側の小巾折返し片とパネルとの重畳部分を台紙より容易に切離して、台紙の切離し線の部分を壁面に当てがって使用することが出来、壁面に沿って走る鼠を確実に台紙の粘着剤を踏むようにして容易に捕獲することが出来る。さらに、切込線３外側の重畳部分を適宜切離した台紙を複数個連接使用することにより、粘着面の広い捕獲具を形成することが出来る。
【００１０】
請求項２記載の考案によれば、台紙の切込線外側の小巾折返し片とパネルとの重畳部分を台紙より容易に切り離すことが出来、且つ、切込線を設けた台紙の外観も良くすることができる。
【考案を実施するための最良の形態】
【００１１】
本考案の好ましい実施の形態を図面に基づいて詳細に説明する。図1に、本考案の捕獲具の一対の矩形パネルを展開した平面図が示されており、図２に、図1に示す捕獲具の一対の矩形パネルを閉鎖した斜視図が示されている。
【００１２】
この捕獲具は1枚の板紙より形成されるが、捕獲具を形成する台紙１には、一対の矩形パネル２，２が、中央巾が板紙厚の2倍強の狭巾パネル５を挟んだ2条の折目線2c．2c
に隣接して左右にそれぞれ形成されている。各矩形パネル2は、三方の外側縁に小巾折返し片2b,2b，2dが折目線（パネル外面からの切目線を使用）を介してパネル内面に折返すごとく設けられている。そして、台紙1に台紙1の長手方向に矩形パネル２，２の一辺（図１では上辺）の外側縁に平行に台紙1の外面より前記小巾折返し片の巾ｄで、一対の矩形パネル２，２及びその両側の小巾折返し片2d,2dを通して、任意長さの切込線３，３，……が相互間隔をおいた複数個の微小長さの連結部分31を介してそれぞれ相互に隣接するごとく複数個連設状態で刻設され、上辺の小巾折返し片2b,2bとパネルとの重畳部分が台紙1より切離し可能に形成されている。
【００１３】
この捕獲具を使用するに当たっては、一対の矩形パネルを閉鎖した二つ折り状態の台紙1（図２参照）を展開して（図1参照）、その長手方向の切込線３，３，……の外側の小巾折返し片2b,2bとパネルとの重畳部分を切離して、切離した外側縁（図３では切込線の部分（3）で示す）を壁Ｗに当接せしめて鼠の通路に設置する（図３参照）。これにより、鼠が壁Ｗの壁面に沿って矢印Ｒの方向に走るとき、確実に鼠は台紙１の粘着剤Ａを踏むため、容易に鼠を捕獲することが出来る。
【００１４】
また、二つ以上の捕獲具を用いて粘着面の広い捕獲具を形成するに当たっては、展開した台紙1の切込線3外側の小巾折返し片2b,2bとパネルとの重畳部分を適宜切離した台紙１を複数個連続使用することにより粘着面の広い捕獲具を形成することが出来、その一例を図４に示す。図4に示すものは、二つの台紙１，1のそれぞれ長辺の一辺の切込線3外側の重畳部分を切離したものを、切離し線（３）の衝合状態で設置した例を示す。この場合、各台紙1の粘着剤Ａの塗布部分は各連続状態で2倍の面積の塗布面を得ることが出来る。
【００１５】
この図4に示した連続した台紙１，１の短辺側（図では左右方向）の小巾折返片2b,2bの部分にも重畳部分を切離し可能に予め切込線を刻設しておくことにより、該重畳部分を切離して更に横方向に長い粘着面を有する台紙を形成使用することができ、切込線３を台紙１の各片に適宜使用することにより、応用範囲を広くすることができる。
【産業上の利用可能性】
【００１６】
鼠類捕獲具の台紙周辺の小巾折返し片の巾で台紙外面より台紙の外側縁に平行に一対の矩形パネル及びその両側の小巾折返し片を通して刻設する切込線を台紙に適宜形成して、小巾折返し片とパネルとの重畳部分を切り離したものを任意に（直線状だけでなく鉤形等に）組合わせ壁面に当接使用することにより、一般住宅、工場、倉庫等で広範囲に鼠の捕獲に効率的に使用することができる。
【図面の簡単な説明】
【００１７】
【図１】本考案の捕獲具の一対の矩形パネルを展開した平面図である。
【図２】図1に示す捕獲具の一対の矩形パネルを閉鎖した斜視図である。
【図３】図1に示す捕獲具の使用状態を示す平面図である。
【図４】図1に示す捕獲具の他の使用状態を示す平面図である。
【図５】従来の捕獲具の一対の矩形パネルを展開した平面図である。
【図６】図５に示す従来の捕獲具の使用状態を示す平面図である。
【図７】図５に示す従来の捕獲具の他の使用状態を示す平面図である。
【符号の説明】
【００１８】
１…… 台紙
２……  矩形パネル
2b……  小巾折返し片
2c……  中央の折目線
２d……  小巾折返し片
３……  切込線
31……  微小長さの連結部分
４……  粘着防止片
Ａ……  粘着剤
ｄ……  小巾折返し片の巾
【図１】
0003109285.tif 000003
【図２】
0003109285.tif 000004
【図３】
0003109285.tif 000005
【図４】
0003109285.tif 000006
【図５】
0003109285.tif 000007
【図６】
0003109285.tif 000008
【図７】
0003109285.tif 000009